(57)【特許請求の範囲】
【請求項１】
発光素子から発せられる、赤色、緑色、青色の内いずれかの光の強さを制御することにより、色相を調整する色相調整方法において、表示手段に閉領域と該閉領域内においてポインタを１つ表示し、前記閉領域の輪郭から前記ポインタまでを結んだ線分を少なくとも２以上表示することにより前記閉領域を複数の領域に分割可能であり、前記複数の領域は夫々赤色、緑色、青色のいずれかの色に対応しており、
入力手段により前記ポインタを移動可能にし、前記閉領域内のポインタの位置に応じて前記複数の領域の面積を変化させることにより、前記複数の領域夫々に対応する色の光の強さを設定することを特徴とした色相調整方法。
【請求項２】
発光素子から発せられる、赤色、緑色、青色の内いずれかの光の強さを制御することにより色相を調整する色相調整方法において、表示手段に閉領域と該閉領域内においてポインタを１つ表示し、且つ、入力手段により前記ポインタを移動可能にし、前記閉領域の輪郭を赤色、緑色、青色の３つに分割し、分割された輪郭と前記赤色、緑色、青色を夫々対応付け、前記分割された輪郭と前記ポインタとの最短距離と、前記輪郭に対応する赤色又は緑色又は青色の光の強さと、を比例関係としたことを特徴とする色相調整方法。
【請求項３】
発光色の異なる複数の発光素子の夫々の光の強さを制御することにより、色相を調整する色相調整方法において、表示手段に閉領域と該閉領域内においてポインタを１つ表示し、前記閉領域の輪郭から前記ポインタまでを結んだ線分を少なくとも２以上表示することにより前記閉領域を複数の領域に分割可能であり、前記複数の領域は夫々前記複数の発光素子に対応しており、
入力手段により前記ポインタを移動可能にし、前記閉領域内のポインタの位置に応じて前記複数の領域の面積を変化させることにより、前記複数の領域夫々に対応する前記発光素子の光の強さを設定することを特徴とした色相調整方法。
【請求項４】
発光色の異なる複数の発光素子の夫々の光の強さを制御することにより、色相を調整する色相調整方法において、表示手段に閉領域と該閉領域内においてポインタを１つ表示し、且つ、入力手段により前記ポインタを移動可能にし、前記閉領域の輪郭を前記複数の発光素子と同数に分割し、分割された輪郭と前記複数の発光素子を夫々対応付け、前記分割された輪郭と前記ポインタとの最短距離を前記発光素子の光の強さに比例するようにしたことを特徴とする色相調整方法。
【発明の詳細な説明】
【０００１】
【発明の属する技術分野】
本発明は、特に電話装置の着信ランプに用いて好適な色相調整方法及び色相調整装置に関する。
【０００２】
【従来の技術】
近年、留守番電話装置や携帯電話装置等に関する様々な技術が提案されている。
【０００３】
例えば、電話装置に様々な色のＬＥＤを複数個用意し、前記ＬＥＤの発光割合を調整してＬＥＤの個数以上の発光色を設定することが可能なるようにし、そして、ユーザがその設定した発光色に対応付けて発呼者側の電話番号を登録可能なものがある。このような電話装置は、着信の際に回線から検出した電話番号が電話装置に登録されているか否かを判定し、登録されている場合には電話番号に対応する発光色で報知することにより、ユーザは液晶表示装置を見ることなしに発呼側がだれであるかを識別可能であると共に、例えば親友や恋人等の特定の発呼側からの着信の際にはユーザが所望の色で発光させることができる為、ユーザが着信時に視覚的に楽しむことが可能である。
【０００４】
【発明が解決しようとする課題】
しかしながら、発光色を設定する為のＬＥＤの発光割合の調整は、特開２００１−１１１６５６号公報に示されているように、複数個あるＬＥＤの光の強さを夫々個別に行う必要がある。例えば、テンキー等を操作して初めに赤色の光の強さを決め、次に青色、緑色の光の強さを決めていく。ユーザはその時の発光色を確認し、所望する発光色ではない場合には、再びテンキーを操作していずれかの色の光の強さを変更する。そして所望する発光色となるまで夫々のＬＥＤの光の強さを変更する。その為、発光色の設定は煩わしいものとなっていた。
【０００５】
本発明は、上記の問題点に鑑みて為されたものであり、所望する発光色を容易に設定可能とする色相調整装置を提供することを目的とする。
【０００６】
【課題を解決するための手段】
上記目的を達成する為に本発明においては、発光素子から発せられる、赤色、緑色、青色の内いずれかの光の強さを制御することにより、色相を調整する色相調整方法において、表示手段に閉領域と該閉領域内においてポインタを１つ表示し、前記閉領域の輪郭から前記ポインタまでを結んだ線分を少なくとも２以上表示することにより前記閉領域を複数の領域に分割可能であり、前記複数の領域は夫々赤色、緑色、青色のいずれかの色に対応しており、入力手段により前記ポインタを移動可能にし、前記閉領域内のポインタの位置に応じて前記複数の領域の面積を変化させることにより、前記複数の領域夫々に対応する色の光の強さを設定することを特徴とした色相調整方法。
【０００７】
【発明の実施の形態】
以下、本発明を携帯電話に用いた時の実施例を図面に基づき説明する。図１は本発明を適用した電話装置の背面外観斜視図である。図１において、電話装置の筐体９０には、電波の送受信を行う為のアンテナ１２０と、筐体内部に３つのＬＥＤ素子が配され着信時に前記ＬＥＤを点灯或いは点滅させることにより、ユーザに着信を報知する着信ランプ１３０と、筐体９０のアンテナ１２０が配されている面と反対の面に配された、図示しない電話番号等を表示する表示部とテンキーを有している。
【０００８】
図２は、本実施例の電話装置の要部の回路構成を示すブロック図である。図２において、１００はＣＰＵであり装置全体を制御する。
【０００９】
アンテナ１２０と接続された送受信部１１０は、電波の検出及び電波の送受信を行い、発呼側からの信号を受信すると着信を検出したことをＣＰＵ１００に報知する。また、着信時に受信した信号に含まれている相手先の電話番号データを検出する。
【００１０】
表示部１４０は、例えば液晶表示装置からなり、送受信部１１０から入力した相手側の電話番号データを表示し、また、ユーザが後述する入力部１５０のテンキー１５１を用いて入力した電話番号等を表示する。
【００１１】
入力部１５０は、相手側を発呼する際に使用される通話キーや相手側との通信を切断する際に使用される通信キー等を有し、また、電話番号の入力やＬＥＤから発光される光の強さや色を変える設定（着信設定）をユーザが行う際に使用されるテンキー１５１等を有している。
【００１２】
記憶部１６０は、ユーザの入力部１５０の入力操作により設定可能な後述する着信ランプ１３０から発光される光の色や強さ等の設定情報を記憶することが可能であり、更に、相手先の電話番号と設定情報を対応付けて記憶することも可能である。
【００１３】
点灯制御部１７０は、ＣＰＵ１００により点灯制御部１７０と接続された着信ランプ１３０の各々のＬＥＤ（赤色ＬＥＤ１３１と緑色ＬＥＤ１３２と青色ＬＥＤ１３３）から発光される光の強さを制御すると共に、使用者の所望の色を発光するＬＥＤのみを選択発光させることが可能である。
【００１４】
具体的には、点灯制御部１７０は、ＬＥＤ１３１〜１３３のカソード側と接続された抵抗の抵抗値を変えることにより、前記ＬＥＤ１３１〜１３３から発光される光の強さを変えることが可能である。即ち、前記ＬＥＤ１３１〜１３３から発光される光の強さを小さくしたい場合には、前記ＬＥＤ１３１〜１３３と接続された抵抗の抵抗値を大きくし、前記光の強さを大きくしたい場合には、前記ＬＥＤ１３１〜１３３と接続された抵抗の抵抗値を小さくする。
【００１５】
尚、ユーザが光の強さを変えたいＬＥＤに対応する抵抗の抵抗値のみを選択して変えることも可能である。
【００１６】
図３は、着信ランプ１３０の発光色の設定時の表示部１４０の表示例である。
【００１７】
三角形の各辺が夫々ＬＥＤ１３１〜１３３に対応付けられている。そして各辺とポインタ１８０までの最短距離に応じてＬＥＤ１３１〜１３３に接続されている抵抗の抵抗値との関係に基づき、抵抗の抵抗値を変更してＬＥＤ１３１〜１３３の光の強度を変更する。例えば三色を同じ光の強さにしたい場合は図３（ａ）に示すようにポインタ１８０の位置を三角形の中心とすればよいし、２色のみを発光させたい場合は図３（ｂ）に示す位置にポインタ１８０を移動さればよく、この場合は赤色と緑色が同じ光の強さで発光し青色は発光しない。また、一色のみを発光させたい場合は図３（ｃ）に示す位置にポインタ１８０を移動させればよく、この場合は赤色のみが発光する。なお、各辺は対応するＬＥＤの発光色と同色で表示されているので、例えば、図３（ｃ）のような場合でもどの辺がどの発光色に対応しているか確認することが可能である。
【００１８】
また、図３（ｃ）に示すように赤色のみを発光させた場合、図３（ａ）に示すように３色を同じ光の強さで発光させた場合に比べて１色当りの光の強さは強くなる。そこで、１色のみの場合と３色発光の場合とで見た目の光の強さが略同一となるように抵抗の抵抗値を設定しておくことが望ましい。なお、図３においてＲは赤色、Ｇは緑色、Ｂは青色を示している。また、本実施例ではユーザが光の強さを視覚的に捉え易くする為、各辺とポインタまでの最短距離は各端点とポインタを結ぶ領域の面積に比例することから、領域の面積比によって光の強さを決めるが如く表示している。
【００１９】
そして、ポインタ１８０はテンキー１５１の押下により移動し、例えば“１”キーは左上、“２”キーは上、“３”キーは右上、“４”キーは左、“６”キーは右、“７”キーは左下、“８”キーは下、“９”キーは右下へ移動するようにしておくことで、ポインタ１８０の移動が可能である。従って、ユーザがテンキー１５１の押下操作を行うとポインタ１８０が移動し、各辺からポインタ１８０までの距離を求め、この距離と、記憶部１６０に予め記憶された各辺とポインタまでの距離とこの時の点灯制御部１７０内のＬＥＤ１３１〜１３３に接続された抵抗の抵抗値との関係とを照合し、対応する各ＬＥＤ１３１〜１３３に接続された点灯制御部１７０内の抵抗の抵抗値を変化させることで、各ＬＥＤ１３１〜１３３から発光される光の強さ及び発光のオンオフ制御が行われる。
【００２０】
なお、本実施例では三角形の各辺からポインタ１８０までの距離により光の強さを設定したが、形状はこれに限定するものではなく、例えば円や球の輪郭を用いてもよいし、六角形等の多角形を用いてもよい。図４に球の輪郭を用いた場合の例を示す。
【００２１】
なお、例えば円や球の輪郭や多角形を用いた場合は、輪郭や各辺からポインタまでの最短距離を求める事が困難となるので、例えば各辺とポインタ１８０とからなる領域の面積の面積を求め、その大きさよって光の強さを変更するようにしてもよいし、多角形の頂点からポインタまでの最短距離を求め、その距離によって光の強さを変更するようにしてもよいし、表示部のドット毎に光の強さを記憶しておき、ポインタがどのドットにあるかを識別することで光の強さを変更するようにしてもよい。
【００２２】
なお、本実施例ではＬＥＤの色は赤色、緑色、青色の三色としたが色はこれに限定するものではなく、他の色のＬＥＤを用いてもよい。
【００２３】
なお、本実施例では光の強さを調整するＬＥＤの数は３個としたが、これに限定するものではない。
【００２４】
また、例えば３色のＬＥＤのうち必ず二色以上の発光が必要な場合は、例えば図５に示すように５角形を用いて設定するようにすれば、一色で全ての領域を覆う位置へポインタ１８０を移動させることは出来ないので必ず２色以上の発光が可能となる。
【００２５】
【発明の効果】
本発明の電話装置によれば、複数のＬＥＤの光の強さを同時に設定できるので、所望する発光色を容易に設定可能とすることができる。
【図面の簡単な説明】
【図１】本発明を適用した電話装置の背面外観斜視図である。
【図２】本実施例の電話装置の要部の回路構成を示すブロック図である。
【図３】着信ランプの発光色の設定時の表示部の表示例である。
【図４】着信ランプの発光色の設定時の表示に球の輪郭を用いた場合の表示例である。
【図５】着信ランプの発光色の設定時の表示に五角形を用いた場合の表示例である。
【符号の説明】
１００  ＣＰＵ
１３０  着信ランプ
１３１  赤色ＬＥＤ
１３２  緑色ＬＥＤ
１３３  青色ＬＥＤ
１４０  表示部
１５１  テンキー
１６０  記憶部
１７０  点灯制御部
【図１】
0003995507.tif 000002
【図２】
0003995507.tif 000003
【図３】
0003995507.tif 000004
【図４】
0003995507.tif 000005
【図５】
0003995507.tif 000006